(57)【特許請求の範囲】
【請求項１】
車両ドア内の上下にそれぞれ位置するケーブルガイドブラケット；
この上下のケーブルガイドブラケットの上下方向の中間に位置し、車両ドア内に固定される、ワイヤ巻取ドラムを有するドラムブラケット；
上記上下のケーブルガイドブラケットにそれぞれ支持されたケーブルガイド部材；
上記ワイヤ巻取ドラムから上下のケーブルガイドブラケットに向けて繰り出され、上下のケーブルガイド部材に案内された後、昇降ガラスに固定されるインナケーブル；及び
上記ドラムブラケットと上下のケーブルガイドブラケットとにそれぞれ両端部が固定され、内部に上記インナケーブルを挿通した一対のアウタケーブル；
を有するウィンドレギュレータにおいて、
上記ドラムブラケットとケーブルガイドブラケットの少なくとも一方に、一対の平行な切断線によって形成され、その入口部分より奥部に幅広部を有する、端部が開放された切欠溝；
内面に凹半円筒状のケーブル保持凹部を有する一対の開閉半体を備え、上記アウタケーブルをその延長方向と直交する方向から挿入できる開状態と、挿入した該アウタケーブルを保持する閉状態とに開閉可能なリテーナ；
この開閉リテーナの一対の開閉半体の外面にそれぞれ形成された、閉状態の該リテーナを切欠溝の開放端部から該切欠溝縁に係合可能な溝部と、上記幅広部に係合する抜け止め爪；
を有することを特徴とするウィンドレギュレータのケーブル支持装置。
【請求項２】
請求項１記載のケーブル支持装置において、開閉リテーナの一対の開閉半体の凹半円筒状のケーブル保持凹部の内面には、断面波形状または鋸歯状の凹凸が形成されているウィンドレギュレータのケーブル支持装置。
【請求項３】
請求項１または２記載のケーブル支持装置において、開閉リテーナは、ケーブル保持凹部に保持したアウタケーブルの端部を支持する端壁を備え、この端壁に、インナケーブルの通過溝が形成されているウィンドレギュレータのケーブル支持装置。
【発明の詳細な説明】
【０００１】
【発明の技術分野】
本発明は、車両の昇降ガラスを昇降させるウィンドレギュレータのケーブル支持装置に関する。
【０００２】
【従来技術及びその問題点】
車両のウィンドレギュレータは、車両ドア内の上下にケーブルガイドブラケットを、中間部にワイヤ巻取ドラムを有するドラムブラケットを配置し、ワイヤ巻取ドラムから、上下のケーブルガイドブラケットにそれぞれ支持されたガイドプーリ（ケーブルガイド部材）に向けてインナケーブルを繰り出し、ガイドプーリで互いに接近する方向に曲折したこのインナケーブルを昇降ガラスに固定している。このウィンドレギュレータは、巻取ドラムを回転駆動すると、インナケーブルが一方で巻き取られ他方で繰り出される結果、昇降ガラスが昇降される。
【０００３】
インナーケーブルは、ドラムブラケットと上下のケーブルガイドブラケットとの間では、アウタケーブル内に挿通され保護されている。従って、アウタケーブルの両端部はそれぞれ、ドラムブラケットとケーブルガイドブラケットに固定する必要がある。このうち、ケーブルガイドブラケットとアウタケーブルとの固定には従来、アウタケーブルを挿入する有底筒部の底部に、インナケーブルを挿通する小穴を穿ったリテーナが用いられてきた。しかしこの従来のリテーナは、まず、インナケーブルを有底筒部の底部に穿けた小穴に挿通し、次にアウタケーブルを有底筒部に挿入しなければならず、作業性が悪い。また、リテーナとアウタケーブルとの結合強度、あるいはリテーナとケーブルガイドブラケットとの接続作業性についても改良の余地があった。
【０００４】
【発明の目的】
本発明は、ウィンドレギュレータのアウタケーブルとリテーナに関する以上の問題意識に基づき、リテーナとアウタケーブルの結合作業性に優れ、リテーナとアウタケーブルとの結合強度、リテーナとケーブルガイドブラケットとの接続作業性にも優れたウィンドレギュレータのケーブル支持装置を提供することを目的とする。
【０００５】
【発明の概要】
本発明は、車両ドア内の上下にそれぞれ位置するケーブルガイドブラケット；この上下のケーブルガイドブラケットの上下方向の中間に位置し、車両ドア内に固定される、ワイヤ巻取ドラムを有するドラムブラケット；上下のケーブルガイドブラケットにそれぞれ支持されたケーブルガイド部材；ワイヤ巻取ドラムから上下のケーブルガイドブラケットに向けて繰り出され、上下のケーブルガイド部材に案内された後、昇降ガラスに固定されるインナケーブル；及びドラムブラケットと上下のケーブルガイドブラケットとにそれぞれ両端部が固定され、内部に上記インナケーブルを挿通した一対のアウタケーブル；を有するウィンドレギュレータにおいて、ドラムブラケットとケーブルガイドブラケットの少なくとも一方に、一対の平行な切断線によって形成され、その入口部分より奥部に幅広部を有する、端部が開放された切欠溝；内面に凹半円筒状のケーブル保持凹部を有する一対の開閉半体を備え、上記アウタケーブルをその延長方向と直交する方向から挿入できる開状態と、挿入した該アウタケーブルを保持する閉状態とに開閉可能なリテーナ；この開閉リテーナの一対の開閉半体の外面にそれぞれ形成された、閉状態の該リテーナを切欠溝の開放端部から該切欠溝縁に係合可能な溝部と、上記幅広部に係合する抜け止め爪；を有することを特徴としている。
【０００６】
開閉リテーナとアウタケーブルの一体性を高めるため、開閉リテーナの一対の開閉半体の凹半円筒状のケーブル保持凹部の内面には、断面波形状または鋸歯状の凹凸が形成することが望ましい。また、開閉リテーナには、ケーブル保持凹部に保持したアウタケーブルの端部を支持する端壁を設け、この端壁に、インナケーブルの通過溝を形成することができる。
【０００７】
ケーブルガイドブラケットには、一対の切断線によって切り起こし壁を形成することができ、この切り起こし壁に、インナケーブルの挿入溝を形成することができる。
【０００８】
本発明のケーブル支持装置は、例えば、上下のケーブルガイドブラケットの間に、昇降ガラスを昇降自在に支持するガイドレールが固定されているタイプのウィンドレギュレータに適用することができる。
【０００９】
【発明の実施の形態】
以下図示実施形態に基づいて本発明を説明する。図１１は、本発明を適用したウィンドレギュレータの全体構造を示すもので、車両のドア内に上下方向に向けて固定されるガイドレール１０には、スライダベース１１が昇降移動可能に支持されている。このスライダベース１１には、図示しない昇降ガラスが固定されている。
【００１０】
ガイドレール１０には、その上部と下部にそれぞれ、ケーブルガイドブラケット１２と１３がそれぞれ固定されている。車両ドア内には、このケーブルガイドブラケット１２と１３の上下方向の中間部分に、ドラムブラケット１４が固定されており、このドラムブラケット１４に、巻取ドラム１５が回転自在に支持されている。この巻取ドラム１５は、手動でまたは電動で、正逆に回転駆動される。
【００１１】
ケーブルガイドブラケット１２、１３にはそれぞれ、ガイドプーリ（ケーブルガイド部材）１６、１７が、軸１６ａ、１７ａにより回転自在に支持されている。巻取ドラム１５に巻回されているインナケーブル１８は、このガイドプーリ１６と１７に向けて繰り出され、ガイドプーリ１６、１７によってスライダベース１１側に向けてガイドされた後、スライダベース１１に固定されている。よって、巻取ドラム１５を手動または電動で正逆に回転駆動すると、インナケーブル１８が一方で巻き取られ他方で繰り出され、スライダベース１１及び昇降ガラスが昇降する。
【００１２】
インナケーブル１８は、ドラムブラケット１４とケーブルガイドブラケット１２の間、及びドラムブラケット１４とケーブルガイドブラケット１３の間においてそれぞれ、アウタケーブル２０に挿通されている。本実施形態は、このアウタケーブル２０とケーブルガイドブラケット１２（１３）及び（又は）ドラムブラケット１４との固定構造を要旨とするもので、ケーブルガイドブラケット１２側を例に、図１ないし図５についてその第一の実施形態を説明する。図示実施形態では、アウタケーブル２０は、ドラムブラケット１４側においては、ドラム側リテーナ１９（図１１）によって該ドラムブラケット１４に固定されているが、このドラム側リテーナについても本実施形態を適用できる。
【００１３】
ケーブルガイドブラケット１２には、ガイドプーリ１６からドラム側リテーナ１９に向かう方向に向けた一対の平行な切断線２１によって、端部の開放された切欠溝２２が形成されている。また、この切欠溝２２の入口部分より奥部には、切欠溝２２より幅の広い幅広部２２ａが形成されている。一対の切断線２１は、ケーブルガイドブラケット１２の板厚平面と直交する切り起こし片２４を形成しており、この切り起こし片２４に、Ｕ字状をなすインナケーブル挿入溝２４ａが形成されている。
【００１４】
アウタケーブル２０のケーブルガイドブラケット１２側の端部を支持し、この切欠溝２２に支持される開閉リテーナ３０は、一対の開閉半体３１を有する。この一対の開閉半体３１はそれぞれ、内面に凹半円筒状のケーブル保持凹部３２を備えていて、上部の接続縁３３によって開閉可能であり、開状態では、アウタケーブル２０をその延長方向と直交する方向から挿入できる。また一対の開閉半体３１を閉じると、一対のケーブル保持凹部３２が全体としてアウタケーブル２０の自由状態における外径より小径の筒状部を形成し、挿入した該アウタケーブル２０を保持する。また、開閉半体３１の一端部には、ケーブル保持凹部３２に保持したアウタケーブル２０の端部を支持する端壁３４が形成されており、この端壁３４に、インナケーブル１８の通過溝３４ａが形成されている。
【００１５】
ケーブル保持凹部３２の内面には、断面鋸歯状または波形状の凹凸３２ａが形成されていて、この凹凸３２ａがアウタケーブル２０内に食い込む。アウタケーブル２０は、例えば、内側から順に、インナケーブル１８に接触するポリアセタール樹脂等の樹脂材料からなるインナ材（ライナー）、平鋼線、塩化ビニル等の樹脂材料からなるアウタ材の積層構造からなっていて、外面に力を加えると弾性変形する。
【００１６】
開閉リテーナ３０の開閉半体３１には、接続縁３３の反対側にそれぞれ、係止脚部３５が形成されており、この係止脚部３５の外面にはそれぞれ、切欠溝２２の縁部に係合（嵌合）する溝部３６が形成されている。また、この係止脚部３５の中間部には、幅広部２２ａに対応する抜け止め爪３５ａが、切込溝３５ｂによって弾性変形可能に形成されている。溝部３６は、一対の開閉半体３１を閉じた状態において開閉リテーナ３０を切欠溝２２の開放端部から挿入したとき、切欠溝２２の縁部に係合する。切込溝３５ｂによって形成された抜け止め爪３５ａは、内方に弾性変形させた状態で切欠溝２２に挿入した後、外力を開放すると幅広部２２ａに係合し、開閉リテーナ３０を抜け止める。
【００１７】
すなわち、上記構成の本ケーブル支持装置は、開閉リテーナ３０の一対の開閉半体３１を開き、ケーブル保持凹部３２内にアウタケーブル２０を嵌め、アウタケーブル２０の端部を端壁３４に当接させ、一対の開閉半体３１を閉じ、ケーブル保持凹部３２内にアウタケーブル２０を保持する。アウタケーブル２０内のインナケーブル１８は、端壁３４の通過溝３４ａから外部に出す。この状態において、開閉リテーナ３０を切欠溝２２の開放端部に位置させ、溝部３６を、該切欠溝２２の縁部に嵌めスライドさせる。このときには、抜け止め爪３５ａが切欠溝２２内に入るように、抜け止め爪３５ａを内方に弾性変形させる。やがて、抜け止め爪３５ａが幅広部２２ａに達すると、抜け止め爪３５ａが弾性復帰力により復帰して幅広部２２ａに嵌まり、その結果、開閉リテーナ３０が切欠溝２２（ケーブルブラケット１２）に抜け止められる。切り起こし片２４は、開閉リテーナ３０の奥部端部を支持する。
【００１８】
以上の実施形態における開閉リテーナ３０の端壁３４は、設けることが好ましいが、必須ではない。図６は、開閉リテーナ３０の端壁３４を省略した実施形態である。また、アウタケーブル２０の切欠溝２２に形成する幅広部２２ａは、図７に示すように、切欠溝２２の入口部（開放端部）に達していなければ、その幅や深さを変えることができる。開閉リテーナ３０の抜け止め爪３５ａの形状（長さ）は、幅広部２２ａの形状（長さ）に応じて変化させる。さらに、図８のように、切り起こし片２４を形成しなくてもよい。
【００１９】
抜け止め爪３５ａは、切欠溝２２の幅広部２２ａに嵌まって開閉リテーナ３０を抜け止める機能を持てばよいから、その形状については自由度がある。図９、図１０は、開閉リテーナ３０に形成する抜け止め爪の弾性変形を容易にするため、薄肉のＵ字状部によって抜け止め爪３５ｃを形成した実施形態である。さらに、次の実施形態も可能である。係止脚部３５の溝部３６に、幅広部２２ａに対応する凸部（抜け止め爪）を形成しておき、開閉リテーナ３０を切欠溝２２に挿入するときには、アウタケーブル２０の弾性を利用して開閉半体３１を強く閉じて凸部を含む溝部３６を切欠溝２２の縁部内に挿入し、挿入後、アウタケーブル２０の弾性で開閉半体３１を開いて凸部を幅広部２２ａに係止する。
【００２０】
また、以上の実施形態では、ケーブルガイドブラケット１２、１３をガイドレール１０の上下端部に固定しているが、ガイドレール１０を省略するウィンドレギュレータにも本発明は適用可能である。すなわち、ガイドレール１０とスライダベース１１を省略し、インナケーブル１８を直接昇降ガラスまたはその支持部材に固定する。この態様では、昇降ガラスをガイドレール１０以外のガイド部材（例えばドアサッシュ）によりガイドする。
【００２１】
【発明の効果】
以上のように本発明によれば、ウィンドレギュレータのアウタケーブルとリテーナとの結合作業性、リテーナとアウタケーブルとの結合強度、及びリテーナとケーブルガイドブラケット又は（及び）ドラムブラケットとの接続作業性に優れたウィンドレギュレータのケーブル支持装置を得ることができる。
【図面の簡単な説明】
【図１】本発明によるウィンドレギュレータのケーブル支持装置の実施形態を示す、リテーナを開いた状態での組立前の状態を示す斜視図である。
【図２】同リテーナを閉じた状態での斜視図である。
【図３】図１のケーブル支持装置の組立状態の断面図である。
【図４】図３のIV−IV線に沿う断面図である。
【図５】図３のV−V線に沿う断面図である。
【図６】本発明によるケーブル支持装置の別の実施形態を示す、図３に対応する断面図である。
【図７】ケーブルガイドブラケット側の切欠溝の別の形状例を示す斜視図である。
【図８】ケーブルガイドブラケット側の切欠溝のさらに別の形状例を示す斜視図である。
【図９】本発明によるケーブル支持装置に用いるリテーナの別の例を示す斜視図である。
【図１０】図９のX−X線に沿う断面図である。
【図１１】本発明によるウィンドレギュレータの全体構造を示す正面図である。
【符号の説明】
１２  １３  ケーブルガイドブラケット
１４  ドラムブラケット
１５  巻取ドラム
１６  １７  ガイドプーリ
１８  インナケーブル
２０  アウタケーブル
２１  切断線
２２  切欠溝
２２ａ  幅広部
２４  切り起こし片
２４ａ  インナケーブル挿入溝
３０  開閉リテーナ
３１  開閉半体
３２  ケーブル保持凹部
３３  接続縁
３４  端壁
３４ａ  通過溝
３５ａ  ３５ｃ  抜け止め爪
３５ｂ  切込溝
３５  係止脚部
３６  溝部
【図１】
0003781627.tif 000002
【図２】
0003781627.tif 000003
【図３】
0003781627.tif 000004
【図４】
0003781627.tif 000005
【図５】
0003781627.tif 000006
【図６】
0003781627.tif 000007
【図７】
0003781627.tif 000008
【図８】
0003781627.tif 000009
【図９】
0003781627.tif 000010
【図１０】
0003781627.tif 000011
【図１１】
0003781627.tif 000012